(57)【要約】【課題】一般に使用されているシート状のプレススルーパック錠片をそのまま採用して、プレススルーパック包装体を製作することによって、結果的に安価なプレススルーパック包装体を提供する。【解決手段】プレススルーパック包装体Ｐは、シート材ＰＡを折り曲げることによって外部側側片部４と内部側側片部５とが二重に折り重なった二重側片部６が形成され、二重側片部６の外部側側片部４と内部側側片部５との間にプレススルーパック錠片１が挟み込み保持され、右側部二重側片部１０及び左側部二重側片部１１を折り曲げることによって中央部二重側片部７と右側部二重側片部１０及び左側部二重側片部１１とによって三角筒状体が形成され、右側部二重側片部１０及び左側部二重側片部１１を係合することによって三角筒状包装体が形成されてなる。【選択図】図４
2020001701.tif 000002
【特許請求の範囲】
【請求項１】
固形薬剤が収容されるポケット部を有するプレススルーパック錠片を包装するプレススルーパック包装体であって、
該プレススルーパック包装体は、１枚の所定の形状に打ち抜き裁断された紙製のシート材によって形成されるものであって、
該シート材を横折り曲げ線を中心に略Ｖ字状に折り曲げることによって外部側側片部と内部側側片部とが二重に折り重なった二重側片部が形成され、
該二重側片部の前記外部側側片部と前記内部側側片部との間に前記プレススルーパック錠片が挟み込み保持され、
該二重側片部の中央部位を中央部二重側片部となし、該中央部二重側片部を挟んでその左右側縁部に前記横折り曲げ線に直交する右側縦折り曲げ線と左側縦折り曲げ線とが形成され、中央部二重側片部の右側縁部に右側縦折り曲げ線を介して右側部二重側片部が連続形成され、中央部二重側片部の左側縁部に左側縦折り曲げ線を介して左側部二重側片部が連続形成され、前記中央部二重側片部を挟んで右側部二重側片部及び左側部二重側片部を右側縦折り曲げ線及び左側縦折り曲げ線を中心に夫々略Ｖ字状に折り曲げることによって該中央部二重側片部とその両側部に連続形成される右側部二重側片部及び左側部二重側片部とによって三角筒状体が形成され、
該三角筒状体の右側部二重側片部及び左側部二重側片部を互いに係合することによって三角筒状包装体が形成されてなるプレススルーパック包装体。
【請求項２】
二重側片部を形成する前記外部側側片部と前記内部側側片部とのうち、前記外部側側片部の前記右側縦折り曲げ線と左側縦折り曲げ線との夫々の線上長手方向にスリットが形成され、しかして該二重側片部を前記中央部二重側片部を挟んで右側縦折り曲げ線及び左側縦折り曲げ線を中心に略Ｖ字状に折り曲げる際に、二重側片部の前記外部側側片部に作用する折り曲げ抵抗負荷を前記スリットによって吸収するようにした請求項１に記載のプレススルーパック包装体。
【請求項３】
二重側片部を形成する前記外部側側片部と前記内部側側片部とのうち、前記外部側側片部の前記右側縦折り曲げ線と左側縦折り曲げ線との夫々線上長手方向に切り込みが形成され、しかして二重側片部を前記中央部二重側片部を挟んで右側縦折り曲げ線及び左側縦折り曲げ線を中心に略Ｖ字状に折り曲げる際に、二重側片部の前記外部側側片部に作用する折り曲げ抵抗負荷を前記切り込みによって吸収するようにした請求項１に記載のプレススルーパック包装体。
【請求項４】
前記二重側片部の前記外部側側片部と前記内部側側片部とに、該外部側側片部と該内部側側片部との間に挟み込み保持させる前記プレススルーパック錠片の前記ポケット部の表面が露出するとともに、該ポケット部の背面から固形薬剤を放出するための貫通孔が夫々形成されてなる請求項１〜３の何れかに記載のプレススルーパック包装体。
【請求項５】
前記三角筒状体の右側部二重側片部及び左側部二重側片部を互いに係合するための係合用舌片が右側部二重側片部及び左側部二重側片部にの何れか一方に形成されるとともに、該係合用舌片が差し込み係合される係合孔が右側部二重側片部及び左側部二重側片部の何れか他方に形成され、前記係合用舌片を前記係合孔に差し込み係合することによって右側部二重側片部及び左側部二重側片部は互いに係合されて三角筒状包装体が形成されてなる請求項１〜４の何れか記載のプレススルーパック包装体。
【請求項６】
前記三角筒状の立方体の右側部二重側片部及び左側部二重側片部を互いに係合するための係合用舌片が形成される右側部二重側片部及び左側部二重側片部の何れか一方と係合用舌片との間に右側部二重側片部及び左側部二重側片部の何れか他方に重合する重合片が形成され該重合片を介して係合用舌片が係合孔に係合するようになっている請求項５に記載のプレススルーパック包装体。
【請求項７】
前記中央部二重側片部の内部側側片部の端縁に中央部吻合用舌片を設け、左右両側部二重側片部の外部側側片部の端縁にも同じく左右両側部吻合用舌片を設け、左右両側部の二重側片部が前記係合用舌片と前記係合孔によって互いに係合され三角筒状包装体としてなる際に、前記中央部吻合用舌片と前記左右両側部吻合用舌片とが互いに差し違いに差し込まれることによってこれらの吻合用舌片が互いに吻合係合され、これらの吻合用舌片によって前記三角筒状包装体の三角筒状開口部が閉塞されるようになっている請求項１〜６の何れか記載のプレススルーパック包装体。
【発明の詳細な説明】
【技術分野】
【０００１】
本発明は、固形薬剤が一個ずつ収容されるポケット部を有するプレススルーパック錠片を包装するプレススルーパック包装体に関する。
【背景技術】
【０００２】
一般に、シート状のプレススルーパック錠片１は、例えば図１４に示すように、ポリ塩化ビニル、ポリプロピレン、ポリエチレンテレフタレート等の熱可塑性樹脂からなる矩形の基材シート３０に設けた多数のポケット部２に、丸形錠剤やカプセル剤等の固形薬剤Ｍ１を一個ずつ収容すると共に、該基材シート３０の背面側にアルミ箔等からなる可破断性の蓋フィルム３１を貼着して封止したものであり、表面側に膨出したポケット部２を指先で押し潰すことにより、該ポケット部２内の固形薬剤Ｍ１が蓋フィルム３１を突き破って放出されるようになっている。
【０００３】
ところで、プレススルーパック錠片１は、基材シート３０に設けた分割線３２で手折りしてポケット単位に分離できるものであったが、その分離したプレススルーパック錠片１を破封せずに丸ごと服用してしまい、基材シート３０の角で食道等の消化管を傷つけて出血したり、その傷から重篤な合併症を引き起こしたりする事故が多発していた。或いは特に高齢者の場合に手作業が不自由で固定薬剤Ｍ１の取り出しが困難であったり、一錠数万円もする高価なプレススルーパック錠片１から一錠ずつ固形薬剤Ｍ１を取り出して服用する際に誤って紛失する事例も少なくなかった。
【０００４】
そこで、本発明者等は先に、誤飲防止用として、例えば図１５（ａ）に示すように、平坦形態のプレススルーパック錠片１Ａとして接着や溶着等の固着手段３４を形成したプレススルーパック錠片１Ａを特別に製作し、この特別製作のプレススルーパック錠片１Ａを折曲線３３等によって角筒状又は円筒状に折曲又は湾曲させて、このプレススルーパック錠片１Ａの両端部を固着手段３４によって固着することによって、図１５（ｂ）に示すように、全体が蓋フィルム３１を内面側としポケット部２の突出した基材シート３０を表面側とする筒状形態、例えば三角筒状又は四角筒状或いは円筒状の立体形状としたプレススルーパック包装体Ｐ１を提案している（例えば、特許文献１〜４参照）。
【先行技術文献】
【特許文献】
【０００５】
【特許文献１】特許第４５３８５３０号公報
【特許文献２】特許第４５３８５３１号公報
【特許文献３】特許第４６９６１７５号公報
【特許文献４】特許第５８９７９０８号公報
【発明の概要】
【発明が解決しようとする課題】
【０００６】
図１５（ｂ）に示すような筒状形態のプレススルーパック包装体Ｐ１では、ポケット単位に分離できず、固形薬剤Ｍ１を取り出すには各ポケット部２を指で押し潰して破封するしかないから、服用者が破封せずに包装体ごと飲み込む懸念はない。しかしながら、このようにプレススルーパック包装体Ｐ１を筒状形態に形成して三角筒状又は四角筒状或いは円筒状の立体形状とするためには一般に使用されているシート状のプレススルーパック錠片１を用いることができず、三角筒状又は四角筒状或いは円筒状の立体形状とするためにポケット部２の配列間隔を変えたり、基材シート３０の両端部に接着や溶着等の固着手段３４を形成したプレススルーパック錠片１Ａを特別に製作しなけれはならず、非常に製作費が高騰して実用的ではないという難点があった。
【０００７】
本発明は上述の事情に鑑みて、図１４に示すような一般に使用されているシート状のプレススルーパック錠片１をそのまま採用して、プレススルーパック包装体を製作することによって、結果的に安価なプレススルーパック包装体を提供することが可能とすることを目的とするものである。
【課題を解決するための手段】
【０００８】
上記目的を達成するための手段を図面の参照符号を付して示せば、請求項１に係る発明は、固形薬剤Ｍ１が収容されるポケット部２を有するプレススルーパック錠片１を包装するプレススルーパック包装体Ｐであって、
該プレススルーパック包装体Ｐは、１枚の所定の形状に打ち抜き裁断された紙製のシート材ＰＡによって形成されるものであって、
該シート材ＰＡを横折り曲げ線３を中心に略Ｖ字状に折り曲げることによって外部側側片部４と内部側側片部５とが二重に折り重なった二重側片部６が形成され、
該二重側片部７の前記外部側側片部４と前記内部側側片部５との間に前記プレススルーパック錠片１が挟み込み保持され、
該二重側片部６の中央部位を中央部二重側片部７となし、前記中央部二重側片部７を挟んでその左右側縁部に前記横折り曲げ線３に直交する右側縦折り曲げ線８と左側縦折り曲げ線９とが形成され、中央部二重側片部７の右側縁部に右側縦折り曲げ線８を介して右側部二重側片部１０が連続形成され、中央部二重側片部７の左側縁部に左側縦折り曲げ線９を介して左側部二重側片部１１が連続形成され、前記中央部二重側片部７を挟んで右側部二重側片部１０及び左側部二重側片部１１を右側縦折り曲げ線８及び左側縦折り曲げ線９を中心に夫々略Ｖ字状に折り曲げることによって該中央部二重側片部７とその両側部に連続形成される右側部二重側片部１０及び左側部二重側片部１１とによって三角筒状体が形成され、
該三角筒状体の右側部二重側片部１０及び左側部二重側片部１１を互いに係合することによって三角筒状包装体が形成されてなることを特徴としている。
【０００９】
請求項２に係る発明は、二重側片部６を形成する前記外部側側片部４と前記内部側側片部５とのうち、前記外部側側片部４の前記右側縦折り曲げ線８と左側縦折り曲げ線９との夫々の線上長手方向にスリット１４が形成され、しかして該二重側片部６を前記中央部二重側片部７を挟んで右側縦折り曲げ線８及び左側縦折り曲げ線９を中心に略Ｖ字状に折り曲げる際に、二重側片部６の前記外部側側片部４に作用する折り曲げ抵抗負荷を前記スリット１４によって吸収するようにした請求項１に記載のプレススルーパック包装体Ｐとしている。
【００１０】
請求項３に係る発明は、二重側片部６を形成する前記外部側側片部４と前記内部側側片部５とのうち、前記外部側側片部４の前記右側縦折り曲げ線８と左側縦折り曲げ線９との夫々線上長手方向に切り込み１５が形成され、しかして二重側片部６を前記中央部二重側片部７を挟んで右側縦折り曲げ線８及び左側縦折り曲げ線９を中心に略Ｖ字状に折り曲げる際に、二重側片部６の前記外部側側片部４に作用する折り曲げ抵抗負荷を前記切り込み１５によって吸収するようにした請求項１に記載のプレススルーパック包装体Ｐとしている。
【００１１】
請求項４に係る発明は、前記二重側片部６のの前記外部側側片部４と前記内部側側片部５との間に挟み込み保持させる前記プレススルーパック錠片１の前記ポケット部２の表面が露出するとともに、該ポケット部２の背面から固形薬剤Ｍ１を放出するための貫通孔１６が夫々形成されてなる請求項１〜３の何れかに記載のプレススルーパック包装体Ｐとしている。
【００１２】
請求項５に係る発明は、前記三角筒状体の右側部二重側片部１０及び左側部二重側片部１１を互いに係合するための係合用舌片１７が右側部二重側片部１０及び左側部二重側片部１１の何れか一方に形成されるとともに、該係合用舌片１７が差し込み係合される係合孔１８が右側部二重側片部１０及び左側部二重側片部１１の何れか他方に形成され、前記係合用舌片１７を前記係合孔１８に差し込み係合することによって右側部二重側片部１０及び左側部二重側片部１１は互いに係合されて三角筒状包装体が形成されてなる請求項１〜４の何れか記載のプレススルーパック包装体Ｐとしている。
【００１３】
請求項６に係る発明は、前記三角筒状体の右側部二重側片部１０及び左側部二重側片部１１を互いに係合するための係合用舌片１７が形成される右側部二重側片部１０及び左側部二重側片部１１の何れか一方と係合用舌片１７との間に右側部二重側片部１０及び左側部二重側片部１１の何れか他方に重合する重合片１７Ａが形成され該重合片１７Ａを介して係合用舌片１７が係合孔１８に係合するようになっている請求項５に記載のプレススルーパック包装体Ｐとしている。
【００１４】
請求項７に係る発明は、前記中央部二重側片部７の内部側側片部５の端縁に中央部吻合用舌片１９を設け、左右両側部二重側片部１０，１１の外部側側片部４の端縁にも同じく左右両側部吻合用舌片２０，２１を設け、左右両側部の二重側片部６が前記係合用舌片１７と前記係合孔１８によって互いに係合され三角筒状包装体としてなる際に、前記中央部吻合用舌片１９と前記左右両側部吻合用舌片２０，２１とが互いに差し違いに差し込まれることによってこれらの吻合用舌片１９〜２１が互いに吻合係合され、これらの吻合用舌片１９〜２１によって前記三角筒状包装体の三角筒状開口部２２が閉塞されるようになっている請求項１〜６の何れか記載のプレススルーパック包装体Ｐとしている。
【発明の効果】
【００１５】
次に、本発明の効果について、図面の参照符号を付して説明する。まず、請求項１に係る発明によれば、固形薬剤Ｍ１が収容されるポケット部２を有するプレススルーパック錠片１には何ら細工することなく、プレススルーパック錠片１をそのまま用いるようにしたため、従来のように特別仕様のプレススルーパック錠片１Ａを製作する必要がないから、それだけ安価に製作することができる。
【００１６】
さらに、請求項１に係る発明は、シート状のプレススルーパック錠片１を三角筒状包装体によって包装して、この包装状態でプレススルーパック錠片１から固形薬剤Ｍ１を取り出すようにしたことを特徴とするものである。
【００１７】
そして、三角筒状包装体は、１枚の所定の形状に打ち抜き裁断された紙製のシート材ＰＡによって形成されるものであって、紙製のシート材ＰＡは、例えば、厚紙やボール紙等の台紙が使用され、これを裁断機によって打ち抜き形成されるものであるから、量産に適しており、安価に製作することができる。
【００１８】
そして、該シート材ＰＡを横折り曲げ線３を中心に略Ｖ字状に折り曲げることによって外部側側片部４と内部側側片部５とが二重に折り重なった二重側片部６が形成されるようにした。これがためにプレススルーパック包装体Ｐの側片部は二重構造となり、型崩れすることなく強固にその形態を維持することができる。
【００１９】
そして、この二重側片部６の前記外部側側片部４と前記内部側側片部５との間に前記プレススルーパック錠片１が挟み込み保持されるようにした。このようにプレススルーパック錠片１を二重側片部７に挟み込むだけで接着等の必要性がないからその装着が容易である。
【００２０】
特に、プレススルーパック錠片１を二重側片部６に挟み込むだけで保持されているから、二重側片部６の二重の折り畳み状態から開放することによって、使用済みのプレススルーパック錠片１を新しいプレススルーパック錠片１に取り替えることができ、数次にわたってプレススルーパック包装体Ｐとして使用することができるため、使用者にとって有益である。
【００２１】
そして、シート材ＰＡを上述のように二重に折り重ねてから、この二重側片部６の中央部位を中央部二重側片部７となし、その後は、シート材ＰＡに裁断形成された形態に合わせて、前記中央部二重側片部７を挟んでその左右側縁部に前記横折り曲げ線３に直交する右側縦折り曲げ線８と左側縦折り曲げ線９とが形成され、中央部二重側片部７の右側縁部に右側縦折り曲げ線８を介して右側部二重側片部１０が連続形成され、中央部二重側片部７の左側縁部に左側縦折り曲げ線９を介して左側部二重側片部１１が連続形成され、前記中央部二重側片部７を挟んで右側部二重側片部１０及び左側部二重側片部１１を前記縦折り曲げ線８，９を中心に夫々略Ｖ字状に折り曲げることによって該中央部二重側片部７とその両側部に連続形成される右側部二重側片部１０及び左側部二重側片部１１とによって三角筒状体が形成され、該三角筒状体の右側部二重側片部１０及び左側部二重側片部１１を互いに係合することによって三角筒状包装体としてプレススルーパック包装体Ｐが形成されるから、プレススルーパック包装体Ｐを形成するための工程が単に折り曲げ工程と係合工程とによって形成されるからその組み立て作業が容易である。又、何ら接着等の固着手段を採用するものでないから分解が容易であり、分解することによって上述のように使用済みのプレススルーパック錠片１を容易に取り替えることができ、実用的でもある。
【００２２】
請求項２に係る発明によれば、二重側片部６を形成する前記外部側側片部４と前記内部側側片部５とのうち、前記外部側側片部４の前記右側縦折り曲げ線８と左側縦折り曲げ線９との夫々の線上長手方向にスリット１４が形成され、しかして該二重側片部６を前記中央部二重側片部７を挟んで右側縦折り曲げ線８及び左側縦折り曲げ線９を中心に略Ｖ字状に折り曲げる際に、二重側片部６の前記外部側側片部４に作用する折り曲げ抵抗負荷を前記スリット１４によって吸収するようにしたため、外部側側片部４と内部側側片部５とからなる二重側片部６を折り曲げる際に、特に外部側側片部４がその折り曲げ線部分に作用する折り曲げ抵抗負荷によって凹み等の皺や型崩れを発生することがなく、正確容易に二重側片部６の折り曲げ作業を行うことができる。
【００２３】
請求項３に係る発明によれば、二重側片部６を形成する前記外部側側片部４と前記内部側側片部５とのうち、前記外部側側片部４の前記右側縦折り曲げ線８と左側縦折り曲げ線９との夫々線上長手方向に切り込み１５が形成され、二重側片部６を前記中央部二重側片部７を挟んで右側縦折り曲げ線８及び左側縦折り曲げ線９を中心に略Ｖ字状に折り曲げる際に、二重側片部６の前記外部側側片部４に作用する折り曲げ抵抗負荷を前記切り込み１５によって吸収するようにしたため、外部側側片部４と内部側側片部５とからなる二重側片部６を折り曲げる際に、特に外部側側片部４がその折り曲げ線部分に作用する折り曲げ抵抗負荷によって凹み等の皺や型崩れを発生することがなく、正確容易に二重側片部６の折り曲げ作業を行うことができる。
【００２４】
請求項４に係る発明によれば、前記二重側片部６の前記外部側側片部４と前記内部側側片部５との間に挟み込み保持させる前記プレススルーパック錠片１の前記ポケット部２の表面が露出するとともに、該ポケット部２の背面から固形薬剤Ｍ１を放出するための貫通孔１６が形成されてなるため、二重側片部６に挟み込み保持されたプレススルーパック錠片１のポケット部２が外部側側片部４に設けた貫通孔１６から突出して押し破りやすくなるとともに、該ポケット部２に収容されている固形薬剤Ｍ１を内部側側片部５に設けた貫通孔１６より容易に取り出すことができる。
【００２５】
この場合に、プレススルーパック包装体Ｐを使用することなくプレススルーパック錠片１単体でポケット部２を押し破りし、内部の固形薬剤Ｍ１を取り出そうとすれば、特に高齢者等の手作業が困難な使用者にあっては、ポケット部２の押し破り作業が困難な場合が多々あるが、本発明にあっては、二重側片部６の外部側側片部４及び内部側側片部５が一種の梃子作用として働き、それに囲まれたポケット部２を貫通孔１６から軽い力で押し破ることができ、高齢者等の手作業が困難な使用者に手軽に使用することができる。
【００２６】
又、本発明にあっては、三角筒状包装体に組み立てたプレススルーパック包装体Ｐとして使用するものであるが、その組み立て途上で、請求項１に説明しているように、シート材ＰＡを横折り曲げ線３を中心に略Ｖ字状に折り曲げることによって外部側側片部４と内部側側片部５との二重に折り重なった二重側片部６に形成し、この二重側片部６の前記外部側側片部４と前記内部側側片部５との間に前記プレススルーパック錠片１が挟み込み保持された状態で、すなわち、二重側片部６からなるシート状態で使用することもできる。すなわち、プレススルーパック錠片１単体でポケット部２を押し破りし、内部の固形薬剤Ｍ１を取り出そうとすれば、特に高齢者等の手作業が困難な使用者にあっても、二重側片部６の外部側側片部４及び内部側側片部５が一種の梃子作用として働き、それに囲まれたポケット部２を貫通孔１６から軽い力で押し破ることができ、高齢者等の手作業が困難な使用者に手軽に使用することができる。
【００２７】
請求項５に係る発明によれば、前記三角筒状体の右側部二重側片部１０及び左側部二重側片部１１を互いに係合するための係合用舌片１７が右側部二重側片部１０及び左側部二重側片部１１の何れか一方に形成されるとともに、該係合用舌片１７が差し込み係合される係合孔１８が右側部二重側片部１０及び左側部二重側片部１１の何れか他方に形成され、前記係合用舌片１７を前記係合孔１８に差し込み係合することによって右側部二重側片部１０及び左側部二重側片部１１は互いに係合されて三角筒状包装体が形成されてなるから、係合用舌片１７を係合孔１８に係合することによって、プレススルーパック包装体Ｐを形成するための工程が単に折り曲げ工程と係合工程とによって形成されるからその組み立て作業が容易である。又、何ら接着等の固着手段を採用するものでないから分解が容易であり、分解することによって上述のように使用済みのプレススルーパック錠片１を容易に取り替えることができ、実用的でもある。
【００２８】
請求項６に係る発明は、前記三角筒状体の右側部二重側片部１０及び左側部二重側片部１１を互いに係合するための係合用舌片１７が形成される右側部二重側片部１０及び左側部二重側片部１１の何れか一方と係合用舌片１７との間に右側部二重側片部１０及び左側部二重側片部１１の何れか他方に重合する重合片１７Ａが形成され該重合片１７Ａを介して係合用舌片１７が係合孔１８に係合するから、重合片１７Ａを形成することによって、右側部二重側片部１０又は左側部二重側片部１１の中央部分に係合孔１８を配置することができ、係合用舌片１７の係脱を容易に行うことができる。
【００２９】
請求項７に係る発明は、前記中央部二重側片部７の内部側側片部５の端縁に中央部吻合用舌片１９を設け、左右両側部二重側片部１０，１１の外部側側片部４の端縁にも同じく左右両側部吻合用舌片２０，２１を設け、左右両側部の二重側片部６が前記係合用舌片１７と前記係合孔１８によって互いに係合され三角形状包装体としてなる際に、前記中央部吻合用舌片１９と前記左右両側部吻合用舌片とが互いに差し違いに差し込まれることによってこれらの吻合用舌片が互いに吻合係合され、これらの吻合用舌片によって前記三角形状包装体の三角筒状開口部２２が閉塞されるから、３片の吻合用舌片１９〜２１を形成することによって、前記三角筒状包装体の強度を高く維持することができ、三角筒状のプレススルーパック包装体Ｐの変形を確実に防止することができる。
特に上記３者の吻合用舌片１９〜２１が互いに離脱しないよう規制されて吻合係合されることによって、二重側片部６の外部側側片部４と内部側側片部５は互いに強くその二重に重なった状態が維持され、二重側片部６の外部側側片部４と内部側側片部５との間に挟み込まれたプレススルーパック錠片１のポケット部２を貫通孔１６を介して押圧力をかけて貫通孔１６を介して指先で押し潰し該ポケット部２内の固形薬剤Ｍ１が蓋フィルム３１を突き破って放出する際に、指先の押圧力によってプレススルーパック錠片１を挟み込む内外部側片部４，５の二重に重なった状態から内部側側片部５が離反して、該内部側側片部５が前記三角筒状包装体の筒状内部に変位してその貫通孔１６から固形薬剤Ｍ１を筒状内部に放出することが困難になるということはない。
【図面の簡単な説明】
【００３０】
【図１】本発明の第１実施形態に係るプレススルーパック包装体及びプレススルーパック錠片を例示し、（ａ）は、プレススルーパック包装体の背面側の展開図となるシート材の平面図であり、（ｂ）は、プレススルーパック錠片の平面図である。
【図２】同実施形態に係るプレススルーパック包装体を組み立てる状態を例示し、（ａ）は、プレススルーパック包装体にプレススルーパック錠片を装着する状態を示す斜視図であり、（ｂ）は、プレススルーパック包装体に装着したプレススルーパック錠片をプレススルーパック包装体の外部側側片部と内部側側片部とで挟持する状態を示す斜視図であり、（ｃ）は、そのＡ−Ａ断面図である。
【図３】同実施形態に係るプレススルーパック包装体を組み立てる状態を例示し、（ａ）は、プレススルーパック包装体にプレススルーパック錠片を挟持してプレススルーパック包装体を平坦状とした状態を示す斜視図であり、（ｂ）は、プレススルーパック錠片を挟持したプレススルーパック包装体を三角筒状に折り曲げる状態を示す斜視図であり、（ｃ）は、そのＢ−Ｂ断面図である。
【図４】同実施形態に係るプレススルーパック包装体を組み立てる状態を例示し、（ａ）プレススルーパック錠片を挟持したプレススルーパック包装体を三角筒状に折り曲げた状態を示す斜視図であり、（ｂ）は、その平面図である。
【図５】同実施形態に係るプレススルーパック包装体を三角筒状とした状態を例示し、図４（ａ）のＣ−Ｃ断面図である。
【図６】同実施形態に係るプレススルーパック包装体を三角筒状とした状態を例示し、図５の要部を拡大して示す断面図である。
【図７】同実施形態に係るプレススルーパック包装体を三角筒状とした状態において、固形薬剤を取り出す動作を例示する図４（ａ）のＣ−Ｃ断面図である。
【図８】同実施形態に係るプレススルーパック包装体を三角筒状とした状態において、固形薬剤を取り出す動作を例示する斜視図である。
【図９】同実施形態に係るプレススルーパック包装体を平坦状とした状態において、固形薬剤を取り出す動作を例示する斜視図である。
【図１０】同実施形態に係るプレススルーパック包装体の変形例を例示し、（ａ）プレススルーパック錠片を挟持したプレススルーパック包装体を三角筒状とした状態を示す斜視図であり、（ｂ）は、プレススルーパック包装体を三角筒状に折り曲げるときの状態を示す模式図である。
【図１１】本発明の第２実施形態に係るプレススルーパック包装体及びプレススルーパック錠片を例示し、（ａ）は、プレススルーパック包装体の背面側の展開図となるシート材の平面図であり、（ｂ）は、プレススルーパック錠片の平面図である。
【図１２】同実施形態に係るプレススルーパック包装体を組み立てる状態を例示し、（ａ）は、プレススルーパック包装体にプレススルーパック錠片を装着する状態を示す斜視図であり、（ｂ）は、プレススルーパック包装体にプレススルーパック錠片を挟持してプレススルーパック包装体を平坦状とした状態を示す斜視図であり、（ｃ）は、プレススルーパック錠片を挟持したプレススルーパック包装体を三角筒状に折り曲げる状態を示す斜視図である。
【図１３】同実施形態に係るプレススルーパック包装体を組み立てる状態を例示し、プレススルーパック錠片を挟持したプレススルーパック包装体を三角筒状とした状態を示す斜視図である。
【図１４】従来の実施形態に係るシート形態のプレススルーパック錠片を示す斜視図である。
【図１５】従来の実施形態に係るプレススルーパック錠片及びプレススルーパック包装体を例示し、（ａ）は、固着手段を形成したシート形態のプレススルーパック錠片を示す斜視図であり、（ｂ）は、筒状形態としたプレススルーパック包装体を示す斜視図である。
【発明を実施するための形態】
【００３１】
＜第１実施形態＞
以下に、本発明に係るプレススルーパック包装体の第１実施形態について、図１〜図１０を参照して具体的に説明する。
【００３２】
本実施形態に係るプレススルーパック包装体Ｐは、図１（ｂ）に示すように、固形薬剤Ｍ１（図７〜図９参照）が一個ずつ収容されるポケット部２を有するプレススルーパック錠片１を包装するものである。プレススルーパック包装体Ｐは、図１（ａ）に示すように、１枚の所定の形状に打ち抜き裁断された紙製のシート材ＰＡによって形成されるものであって、図２及び図３（ａ）に示すように、シート材ＰＡを横折り曲げ線３を中心に略Ｖ字状に折り曲げることによって外部側側片部４と内部側側片部５とが二重に折り重なった二重側片部６が形成され、二重側片部６の中央部位を中央部二重側片部７となし、中央部二重側片部７の外部側側片部４と内部側側片部５との間にプレススルーパック錠片１が挟み込み保持され、中央部二重側片部７を挟んでその左右側縁部に横折り曲げ線３に直交する右側縦折り曲げ線８と左側縦折り曲げ線９とが形成され、中央部二重側片部７の右側縁部に右側縦折り曲げ線８を介して右側部二重側片部１０が連続形成され、中央部二重側片部７の左側縁部に左側縦折り曲げ線９を介して左側部二重側片部１１が連続形成され、図３（ｂ）及び図３（ｃ）に示すように、中央部二重側片部７を挟んで右側部二重側片部１０及び左側部二重側片部１１を右側縦折り曲げ線８及び左側縦折り曲げ線９を中心に夫々略Ｖ字状に折り曲げることによって中央部二重側片部７とその両側部に連続形成される右側部二重側片部１０及び左側部二重側片部１１とによって三角筒状体が形成され、図４（ａ）に示すように、三角筒状体の右側部二重側片部１０及び左側部二重側片部１１を互いに係合することによって三角筒状包装体が形成されてなるものである。
【００３３】
図１（ｂ）に示すように、プレススルーパック錠片１は、基材シート（図示せず）の表面側へ膨出する複数のポケット部２に固形薬剤Ｍ１が収容され、複数のポケット部２が基材シートの背面側に貼着した可破断性の蓋フィルム（図示せず）によって封止される一般に使用されているシート状のものである。プレススルーパック錠片１は、ポリ塩化ビニル（ＰＶＣ）、ポリプロピレン（ＰＰ）、ポリエチレンテレフタレート（ＰＥＴ）等の熱可塑性樹脂からなる矩形の透明な基材シートと、基材シートの表面側へ有底円筒状（ドーム形状）に膨出するように形成され、内部に錠剤やカプセル剤等の固形薬剤Ｍ１（図７〜図９では、例えば、錠剤）を一個ずつ収容する複数箇所（図１（ｂ）では、例えば、５箇所）のポケット部２と、基材シートの背面側に貼着して密閉封止され、アルミ箔等からなる可破断性の蓋フィルムと、を備えている。このようなプレススルーパック錠片１から固形薬剤Ｍ１を取り出すには、表面側に膨出したポケット部２を指先で押し潰すことによって、ポケット部２内の固形薬剤Ｍ１を背面側の蓋フィルムを突き破って放出するようになっている。
【００３４】
図１（ａ）に示すように、シート材ＰＡは、１枚の矩形状の板紙（例えば、厚紙やボール紙等の台紙）からなる紙製のブランクシートを、所定の形状の抜き型を備えた裁断機を使用して打ち抜き裁断することによって、１枚の展開図となるように形成したものである。シート材ＰＡは、詳細には、上下方向（縦方向）の中央部に設けられ、左右方向（横方向）にまっすぐ延びる横折り曲げ線３と、横折り曲げ線３の上部に設けられ、三角筒状（図４（ａ）参照）としたときに外部側に配置される矩形状の外部側側片部４と、横折り曲げ線３の下部に設けられ、三角筒状としたときに内部側に配置される矩形状の内部側側片部５と、を備えている。さらに、シート材ＰＡは、外部側側片部４と内部側側片部５とを重なるように折り畳むことによって、プレススルーパック錠片１を挟持して平坦状（図３（ａ）参照）とするために、外部側側片部４と内部側側片部５とが二重に折り重なった二重側片部６と、二重側片部６の外部側側片部４及び内部側側片部５の左右方向の中央部に夫々設けられる縦長矩形の中央部二重側片部７と、中央部二重側片部７の外部側側片部４及び内部側側片部５の右側に夫々隣接して設けられ、上下方向にまっすぐ延びる右側縦折り曲げ線８と、中央部二重側片部７の外部側側片部４及び内部側側片部５の左側に夫々隣接して設けられ、上下方向にまっすぐ延びる左側縦折り曲げ線９と、二重側片部６の外部側側片部４及び内部側側片部５の右側縦折り曲げ線８を挟んだ右側部に夫々設けられる縦長矩形の右側部二重側片部１０と、二重側片部６の外部側側片部４及び内部側側片部５の左側縦折り曲げ線９を挟んだ左側部に夫々設けられる縦長矩形の左側部二重側片部１１と、を備えている。さらに、シート材ＰＡは、二重側片部６の外部側側片部４と内部側側片部５とのうち、外部側側片部４の右側縦折り曲げ線８と左側縦折り曲げ線９との夫々の線上長手方向に複数箇所（図１（ａ）では、夫々３箇所）配置される瓢箪形状のスリット１４を備えている。さらに、シート材ＰＡは、中央部二重側片部７の外部側側片部４及び内部側側片部５夫々の左右方向の中央部に上下方向に複数箇所（図１（ａ）では、夫々５箇所）等配され、外部側側片部４と内部側側片部５との間に挟み込み保持させるプレススルーパック錠片１のポケット部２の表面が露出するとともに、ポケット部２の背面から固形薬剤Ｍ１を放出するための円形状の貫通孔１６を備えている。さらに、シート材ＰＡは、左側部二重側片部１１の外部側側片部４の左側に隣接して設けられ、上下方向にまっすぐ延びる重合片側縦折り曲げ線１７Ａａと、左側部二重側片部１１の外部側側片部４の重合片側縦折り曲げ線１７Ａａを挟んだ左側部に設けられる舌片形状の重合片１７Ａと、重合片１７Ａの左側部の複数箇所（図１（ａ）では、２箇所）に配置され、右側部二重側片部１０及び左側部二重側片部１１を互いに係合するための五角形状に突出する係合用舌片１７と、右側部二重側片部１０の外部側側片部４の左右方向の中央部のやや左寄り部分の複数箇所（図１（ａ）では、２箇所）に配置され、係合用舌片１７が差し込み係合される矩形状の貫通孔からなる係合孔１８と、を備えている。さらに、シート材ＰＡは、中央部二重側片部７の内部側側片部５の下側に隣接して設けられ、左右方向にまっすぐ延びる中央部吻合用舌片側横折り曲げ線１９ａと、中央部二重側片部７の内部側側片部５の中央部吻合用舌片側横折り曲げ線１９ａを挟んだ下部に設けられる三角形状に突出する中央部吻合用舌片１９と、右側部二重側片部１０の外部側側片部４の上側に隣接して設けられ、左右方向にまっすぐ延びる右側部吻合用舌片側横折り曲げ線２０ａと、右側部二重側片部１０の外部側側片部４の右側部吻合用舌片側横折り曲げ線２０ａを挟んだ上部に設けられる三角形状に突出する右側部吻合用舌片２０と、左側部二重側片部１１の外部側側片部４の上側に隣接して設けられ、左右方向にまっすぐ延びる左側部吻合用舌片側横折り曲げ線２１ａと、左側部二重側片部１１の外部側側片部４の左側部吻合用舌片側横折り曲げ線２１ａを挟んだ上部に設けられ、中央部吻合用舌片１９及び右側部吻合用舌片２０が互いに差し違いに差し込まれることによって互いに吻合係合される三角形状に突出する左側部吻合用舌片２１と、を備えている。
【００３５】
図１（ａ）及び図２に示すように、横折り曲げ線３は、左右方向に延びる直線状の折りスジであって、外部側側片部４と内部側側片部５との間に左右方向に延びるように形成され、詳細には、外部側側片部４の左側部二重側片部１１と内部側側片部５の左側部二重側片部１１との間、外部側側片部４の中央部二重側片部７と内部側側片部５の中央部二重側片部７との間、外部側側片部４の右側部二重側片部１０と内部側側片部５の右側部二重側片部１０との間に夫々左右方向に延びるように形成され、外部側側片部４と内部側側片部５とを重なるように折り畳むための折り曲げ部分である。図１（ａ）及び図３に示すように、右側縦折り曲げ線８及び左側縦折り曲げ線９は、上下方向に延びる直線状の折りスジであって、外部側側片部４の中央部二重側片部７と外部側側片部４の右側部二重側片部１０との間、内部側側片部５の中央部二重側片部７と内部側側片部５の右側部二重側片部１０との間、及び、外部側側片部４の左側部二重側片部１１と外部側側片部４の中央部二重側片部７との間、内部側側片部５の左側部二重側片部１１と内部側側片部５の中央部二重側片部７との間に夫々上下方向に延びるように形成され、折り畳まれた外部側側片部４及び内部側側片部５を折り曲げて三角筒状とするための折り曲げ部分である。図１（ａ），図３〜図６に示すように、重合片側縦折り曲げ線１７Ａａは、上下方向に延びる直線状の折りスジであって、重合片１７Ａと外部側側片部４の左側部二重側片部１１との間に上下方向に延びるように形成され、係合用舌片１７を係合孔１８に差し込むときに、重合片１７Ａを折り曲げるための折り曲げ部分である。図１（ａ）及び図４に示すように、中央部吻合用舌片側横折り曲げ線１９ａ，右側部吻合用舌片側横折り曲げ線２０ａ，左側部吻合用舌片側横折り曲げ線２１ａは、左右方向に延びる直線状の折りスジであって、中央部吻合用舌片１９，右側部吻合用舌片２０，左側部吻合用舌片２１と外部側側片部４及び内部側側片部５との間に左右方向に延びるように形成され、中央部吻合用舌片１９，右側部吻合用舌片２０，左側部吻合用舌片２１を折り曲げるための折り曲げ部分であって、具体的には、内部側側片部５の中央部二重側片部７と中央部吻合用舌片１９との間、外部側側片部４の右側部二重側片部１０と右側部吻合用舌片２０との間、外部側側片部４の左側部二重側片部１１と左側部吻合用舌片２１との間に夫々左右方向に延びるように形成され、中央部吻合用舌片１９，右側部吻合用舌片２０，左側部吻合用舌片２１を夫々折り曲げるための折り曲げ部分である。なお、図１（ａ）に示すシート材ＰＡは、裁断機の抜き型が押圧される表面と逆側の背面側の展開図を図示したものであって、図１（ａ）に示す横折り曲げ線３，右側縦折り曲げ線８，左側縦折り曲げ線９，重合片側縦折り曲げ線１７Ａａ，中央部吻合用舌片側横折り曲げ線１９ａ，右側部吻合用舌片側横折り曲げ線２０ａ，左側部吻合用舌片側横折り曲げ線２１ａは、図１（ａ）の背面と逆側の表面を打ち抜き裁断と同時にスジ押しすることによって、シート材ＰＡの図示しない表面側に山折り（凹部、溝部）を形成することによって、シート材ＰＡの図１（ａ）に示す背面側に谷折り（凸部、山部）を形成したものである。
【００３６】
図１（ａ）及び図２（ａ）に示すように、外部側側片部４は、プレススルーパック錠片１のポケット部２が貫通して突出する貫通孔１６が形成される縦長矩形状の中央部二重側片部７と、中央部二重側片部７の右側端部に右側縦折り曲げ線８及びスリット１４を介して一体形成され、中央部のやや左寄り部分に係合孔１８が形成される縦長矩形状の右側部二重側片部１０と、中央部二重側片部７の左側端部に左側縦折り曲げ線９及びスリット１４を介して一体形成され、左端部に重合片側縦折り曲げ線１７Ａａを介して重合片１７Ａが一体形成される縦長矩形状の左側部二重側片部１１と、を備えている。内部側側片部５は、プレススルーパック錠片１の蓋フィルムが破断して固形薬剤Ｍ１が放出される貫通孔１６が形成され、外部側側片部４の中央部二重側片部７の下部に同一形状となるように横折り曲げ線３を介して一体形成される縦長矩形状の中央部二重側片部７と、内部側側片部５の中央部二重側片部７の右側端部に右側縦折り曲げ線８を介して一体形成され、外部側側片部４の右側部二重側片部１０の下部に同一形状となるように横折り曲げ線３を介して一体形成される縦長矩形状の右側部二重側片部１０と、内部側側片部５の中央部二重側片部７の左側端部に左側縦折り曲げ線９を介して一体形成され、外部側側片部４の左側部二重側片部１１の下部に同一形状となるように横折り曲げ線３を介して一体形成される縦長矩形状の左側部二重側片部１１と、を備えている。図１（ａ）に示すように、プレススルーパック包装体Ｐは、複数のポケット部２が貫通して突出する複数の外部側側片部４の貫通孔１６を有する外部側側片部４と、蓋フィルムが破断して固形薬剤Ｍ１が放出される複数の内部側側片部５の貫通孔１６を有する内部側側片部５と、を重なるように折り畳むことによって、外部側側片部４と内部側側片部５とが二重に折り重なった二重側片部６をなすとともに、プレススルーパック錠片１を挟持して平坦状（図３（ａ）参照）とするとともに、折り畳まれた外部側側片部４及び内部側側片部５を折り曲げて三角筒状（図４（ａ）参照）となるように構成されている。図２（ａ）に示すように、プレススルーパック錠片１は、複数箇所（図２（ａ）では、例えば、５箇所）のポケット部２が夫々複数箇所（図２（ａ）では、例えば、５箇所）の外部側側片部４の貫通孔１６を貫通して突出するように裏返した状態で、外部側側片部４の中央部二重側片部７の２点鎖線で示す矩形状部分に装着される。そして、図２（ｂ）及び図２（ｃ）に示すように、プレススルーパック包装体Ｐは、プレススルーパック錠片１の蓋フィルムが破断して固形薬剤Ｍ１が放出されるように、ポケット部２の背面を封止する蓋フィルムの複数箇所（図２（ｂ）及び図２（ｃ）では、例えば、５箇所）の円形部分に夫々複数箇所（図２（ｂ）及び図２（ｃ）では、例えば、５箇所）の内部側側片部５の貫通孔１６が配置されるように、外部側側片部４に内部側側片部５を重なるように折り畳むことによって、図３（ａ）に示すように、プレススルーパック錠片１を挟持して平坦状となるように構成されている。
【００３７】
図１（ａ）及び図４（ａ）に示すように、二重側片部６を形成する外部側側片部４と内部側側片部５とのうち、外部側側片部４の右側縦折り曲げ線８と左側縦折り曲げ線９との夫々の線上長手方向にスリット１４が形成され、しかして二重側片部６を中央部二重側片部７を挟んで右側縦折り曲げ線８及び左側縦折り曲げ線９を中心に略Ｖ字状に折り曲げる際に、二重側片部６の外部側側片部４に作用する折り曲げ抵抗負荷を前記スリット１４によって吸収するようにしている。具体的には、図１（ａ）に示すように、スリット１４は、外部側側片部４の中央部二重側片部７と外部側側片部４の右側部二重側片部１０との間の右側縦折り曲げ線８と、外部側側片部４の左側部二重側片部１１と外部側側片部４の中央部二重側片部７との間の左側縦折り曲げ線９との夫々複数箇所（図１（ａ）では、夫々３箇所）配置される瓢箪形状のスリットである。スリット１４は、シート材ＰＡを打ち抜き裁断するときに同時に形成されるようになっている。本実施形態によれば、外部側側片部４と内部側側片部５とからなる二重側片部６を折り曲げる際に、特に外部側側片部４がその折り曲げ線部分に作用する折り曲げ抵抗負荷によって凹み等の皺や型崩れを発生することがなく、正確容易に二重側片部６の折り曲げ作業を行うことができる。
【００３８】
図１（ａ）に示すように、二重側片部６の中央部二重側片部７の外部側側片部４と内部側側片部５とに、外部側側片部４と内部側側片部５との間に挟み込み保持させるプレススルーパック錠片１のポケット部２の表面が露出するとともに、ポケット部２の背面から固形薬剤Ｍ１を放出するための貫通孔１６が形成されている。外部側側片部４の貫通孔１６は、外部側側片部４の中央部二重側片部７の中央部に上下方向に複数箇所（図１（ａ）では、５箇所）等配される円形状の貫通孔であって、図２（ａ）に示すように、プレススルーパック錠片１のポケット部２が貫通して突出するものである。外部側側片部４の貫通孔１６は、シート材ＰＡを打ち抜き裁断するときに同時に形成されるようになっている。内部側側片部５の貫通孔１６は、内部側側片部５の中央部二重側片部７の中央部に上下方向に複数箇所（図１（ａ）では、５箇所）等配される円形状の貫通孔であって、図２（ｂ）及び図２（ｃ）に示すように、プレススルーパック錠片１の蓋フィルムが破断して固形薬剤Ｍ１が放出されるように、ポケット部２の背面を封止する蓋フィルムの複数箇所（図２（ｂ）及び図２（ｃ）では、例えば、５箇所）の円形部分に対応する位置に配置されるものである。内部側側片部５の貫通孔１６は、外部側側片部４の貫通孔１６と同一形状かつ同一間隔となるように形成されている。内部側側片部５の貫通孔１６は、シート材ＰＡを打ち抜き裁断するときに同時に形成されるようになっている。本実施形態によれば、中央部二重側片部７の挟み込み保持されたプレススルーパック錠片１のポケット部２が外部側側片部４に設けた貫通孔１６から突出して押し破りやすくなるとともに、ポケット部２に収容されている固形薬剤Ｍ１を内部側側片部５に設けた貫通孔１６より容易に取り出すことができる。この場合に、プレススルーパック包装体Ｐを使用することなくプレススルーパック錠片１単体でポケット部２を押し破りし、内部の固形薬剤Ｍ１を取り出そうとすれば、特に高齢者等の手作業が困難な使用者にあっては、ポケット部２の押し破り作業が困難な場合が多々あるが、本実施形態にあっては、中央部二重側片部７の外部側側片部４及び内部側側片部５が一種の梃子作用として働き、それに囲まれたポケット部２を貫通孔１６から軽い力で押し破ることができ、高齢者等の手作業が困難な使用者に手軽に使用することができる。
【００３９】
図１（ａ），図３〜図６に示すように、三角筒状体の右側部二重側片部１０及び左側部二重側片部１１を互いに係合するための係合用舌片１７が左側部二重側片部１１に形成されるとともに、係合用舌片１７が差し込み係合される係合孔１８が右側部二重側片部１０に形成され、係合用舌片１７を係合孔１８に差し込み係合することによって右側部二重側片部１０及び左側部二重側片部１１は互いに係合されて三角筒状包装体が形成されている。そして、三角筒状体の右側部二重側片部１０及び左側部二重側片部１１を互いに係合するための係合用舌片１７が形成される左側部二重側片部１１と係合用舌片１７との間に右側部二重側片部１０に重合する重合片１７Ａが形成され重合片１７Ａを介して係合用舌片１７が係合孔１８に係合するようになっている。重合片１７Ａは、左側部二重側片部１１の外部側側片部４の重合片側縦折り曲げ線１７Ａａを挟んだ左側部に設けられる舌片形状のものである。係合用舌片１７は、重合片１７Ａの左側部の複数箇所（図１（ａ）では、２箇所）に配置され、右側部二重側片部１０及び左側部二重側片部１１を互いに係合するための五角形状に突出するものである。係合孔１８は、右側部二重側片部１０の外部側側片部４の左右方向の中央部のやや左寄り部分の複数箇所（図１（ａ）では、２箇所）に配置され、係合用舌片１７が差し込み係合される矩形状の貫通孔からなるものである。本実施形態によれば、係合用舌片１７を係合孔１８に係合することによって、プレススルーパック包装体Ｐを形成するための工程が単に折り曲げ工程と係合工程とによって形成されるからその組み立て作業が容易である。又、何ら接着等の固着手段を採用するものでないから分解が容易であり、分解することによって上述のように使用済みのプレススルーパック錠片１を容易に取り替えることができ、実用的でもある。さらに、本実施形態によれば、重合片１７Ａを形成することによって、右側部二重側片部１０又は左側部二重側片部１１の中央部分に係合孔１８を配置することができ、係合用舌片１７の係脱を容易に行うことができる。なお、本実施形態では、係合用舌片１７及び重合片１７Ａが左側部二重側片部１１に形成され、係合孔１８が右側部二重側片部１０に形成されていたが、これに限らず、例えば、係合用舌片１７及び重合片１７Ａを右側部二重側片部１０に形成し、係合孔１８を左側部二重側片部１１に形成してもよい。
【００４０】
図１（ａ）及び図４に示すように、中央部二重側片部７の内部側側片部５の端縁に中央部吻合用舌片１９を設け、右側部二重側片部１０及び左側部二重側片部１１の外部側側片部４の端縁にも同じく右側部吻合用舌片２０及び左側部吻合用舌片２１を設け、左右両側部の二重側片部６が係合用舌片１７と係合孔１８によって互いに係合され平面視略三角形状の包装立方体としてなる際に、中央部吻合用舌片１９，右側部吻合用舌片２０，左側部吻合用舌片２１が互いに差し違いに差し込まれることによって中央部吻合用舌片１９，右側部吻合用舌片２０，左側部吻合用舌片２１が互いに吻合係合され、中央部吻合用舌片１９，右側部吻合用舌片２０，左側部吻合用舌片２１によって平面視略三角形状の包装立方体の三角筒状開口部２２が閉塞されるようになっている。具体的には、図１（ａ）に示すように、中央部吻合用舌片１９は、内部側側片部５の中央部二重側片部７の下部に中央部吻合用舌片側横折り曲げ線１９ａを介して一体形成される三角形状の舌片である。すなわち、中央部吻合用舌片１９は、プレススルーパック錠片１が挟持される内部側側片部５の中央部二重側片部７に形成されるとともに、プレススルーパック錠片１が挟持される外部側側片部４の中央部二重側片部７に形成されないようになっている。右側部吻合用舌片２０は、外部側側片部４の右側部二重側片部１０の上部に右側部吻合用舌片側横折り曲げ線２０ａを介して一体形成される三角形状の舌片である。左側部吻合用舌片２１は、外部側側片部４の左側部二重側片部１１の上部に左側部吻合用舌片側横折り曲げ線２１ａを介して一体形成される三角形状の舌片である。図４（ａ）及び図４（ｂ）に示すように、中央部吻合用舌片１９，右側部吻合用舌片２０，左側部吻合用舌片２１は、中央部吻合用舌片１９の頂部を右側部吻合用舌片２０の基部の下側に押し込み、右側部吻合用舌片２０の頂部を左側部吻合用舌片２１の基部の下側に押し込み、左側部吻合用舌片２１の頂部を中央部吻合用舌片１９の基部の下側に押し込むことによって、底が抜けないように底ロックされた三角形状の地獄底となっている。本実施形態によれば、３片の中央部吻合用舌片１９，右側部吻合用舌片２０，左側部吻合用舌片２１を形成することによって、平面視略三角筒状の包装立方体の強度を高く維持することができ、三角筒状のプレススルーパック包装体Ｐの変形を確実に防止することができる。さらに、本実施形態によれば、中央部吻合用舌片１９，右側部吻合用舌片２０，左側部吻合用舌片２１を設けることによって、複数の固形薬剤Ｍ１を取り出すときには、三角筒状のプレススルーパック包装体Ｐの一端側の中央部吻合用舌片１９，右側部吻合用舌片２０，左側部吻合用舌片２１を下向きにして破封し、図８に示すように、プレススルーパック包装体Ｐの他端側の三角筒状開口部２２を下向きにすることによって、落下する複数の固形薬剤Ｍ１を空いた掌で容易かつ確実に受け取ることができる。さらに、本実施形態によれば、中央部吻合用舌片１９が、プレススルーパック錠片１が挟持される内部側側片部５の中央部二重側片部７に形成されるとともに、プレススルーパック錠片１が挟持される外部側側片部４の中央部二重側片部７に形成されないようになっているから、例えば、中央部吻合用舌片１９が外部側側片部４の中央部二重側片部７に形成されている場合には、固形薬剤Ｍ１を取り出すためにポケット部２を指先で押し潰したとき、プレススルーパック錠片１が挟持される外部側側片部４である外部側側片部４の中央部二重側片部７が指先で内側に押圧され、これに伴い中央部吻合用舌片１９が内側に押圧され、三角筒状のプレススルーパック包装体Ｐが変形するという問題があったが、本実施形態によれば、中央部吻合用舌片１９が外部側側片部４の中央部二重側片部７に形成されていないから、ポケット部２を指先で押し潰しても、中央部吻合用舌片１９が内側に押圧されなくなり、もって、三角筒状のプレススルーパック包装体Ｐの変形を確実に防止することができる。
【００４１】
本実施形態に係るプレススルーパック包装体Ｐを組み立てるには、まず、図１（ａ）に示すように、ブランクシートを打ち抜き裁断すると同時にスジ押しすることによって、外部側側片部４，内部側側片部５，スリット１４，貫通孔１６，係合用舌片１７，重合片１７Ａ，中央部吻合用舌片１９，右側部吻合用舌片２０，左側部吻合用舌片２１，横折り曲げ線３，右側縦折り曲げ線８，左側縦折り曲げ線９，重合片側縦折り曲げ線１７Ａａ，中央部吻合用舌片側横折り曲げ線１９ａ，右側部吻合用舌片側横折り曲げ線２０ａ，左側部吻合用舌片側横折り曲げ線２１ａを有する１枚の展開図となるようにシート材ＰＡを形成し、このシート材ＰＡを裏返した状態とする。次いで、図２（ａ）に示すように、裏返した状態のシート材ＰＡの外部側側片部４の中央部二重側片部７の２点鎖線で示す矩形状部分に、５箇所のポケット部２が夫々５箇所の外部側側片部４の貫通孔１６を貫通して突出するように裏返した状態のプレススルーパック錠片１を装着する。次いで、図２（ｂ）及び図２（ｃ）に示すように、プレススルーパック錠片１を外部側側片部４に装着した状態で、蓋フィルムが破断して固形薬剤Ｍ１が放出されるように、ポケット部２の背面を封止する蓋フィルムの５箇所の円形部分に夫々５箇所の内部側側片部５の貫通孔１６が配置されるように、外部側側片部４に内部側側片部５を重なるように折り畳むことによって、外部側側片部４と内部側側片部５とが二重に折り重なった二重側片部６を形成する。かくして、図３（ａ）に示すように、プレススルーパック錠片１が外部側側片部４と内部側側片部５とで挟持された平坦状となるプレススルーパック包装体Ｐが組み立てられる。次いで、図３（ｂ）及び図３（ｃ）に示すように、平坦状となるプレススルーパック包装体Ｐの折り畳まれた外部側側片部４及び内部側側片部５の両端部を折り曲げることによって、図４（ａ）に示すように、三角筒状となるプレススルーパック包装体Ｐが組み立てられる。このとき、図４（ａ），図５，図６に示すように、三角筒状としたときに折り曲げられた係合用舌片１７を係合孔１８に挿入することによって、外部側側片部４の左側部二重側片部１１及び外部側側片部４の右側部二重側片部１０を互いに係合するとともに、図４（ａ）及び図４（ｂ）に示すように、中央部吻合用舌片１９の頂部を右側部吻合用舌片２０の基部の下側に押し込み、右側部吻合用舌片２０の頂部を左側部吻合用舌片２１の基部の下側に押し込み、左側部吻合用舌片２１の頂部を中央部吻合用舌片１９の基部の下側に押し込むことによって、三角形状の地獄底となる中央部吻合用舌片１９，右側部吻合用舌片２０，左側部吻合用舌片２１を形成する。かくして、このようにして、図３（ａ）に示すように、平坦状となるプレススルーパック包装体Ｐが組み立てられるとともに、図４（ａ）に示すように、三角筒状となるプレススルーパック包装体Ｐが組み立てられる。
【００４２】
本実施形態に係る三角筒状のプレススルーパック包装体Ｐを使用するには、図８に示すように、プレススルーパック包装体Ｐの一端側の三角筒状開口部２２を下向きとなるように片手で把持した状態で、ポケット部２を指先（図８では、例えば、親指の腹部分）で押し潰すことによって、図７に示すように、蓋フィルムが破断して固形薬剤Ｍ１が、内部側側片部５の貫通孔１６を介してプレススルーパック包装体Ｐの三角筒状内部空間２３に放出され、図８に示すように、プレススルーパック包装体Ｐの一端側の三角筒状開口部２２から放出される。
【００４３】
一方、図９に示すように、平坦状のプレススルーパック包装体Ｐを使用するには、例えば、係合用舌片１７及び重合片１７Ａを内部側側片部５の左側部二重側片部１１に折り曲げた状態とし、外部側側片部４を前面側とし、外部側側片部４及び内部側側片部５の両端部を両手で把持した状態でポケット部２を指先で押し潰すことによって、蓋フィルムが破断して固形薬剤Ｍ１が、内部側側片部５の貫通孔１６を介してプレススルーパック包装体Ｐの後面側（内部側側片部５側）から下方に放出される。
【００４４】
以上説明した本実施形態によれば、固形薬剤Ｍ１が収容されるポケット部２を有するプレススルーパック錠片１には何ら細工することなく、プレススルーパック錠片１をそのまま用いるようにしたため、従来のように特別仕様のプレススルーパック錠片１Ａを製作する必要がないから、それだけ安価に製作することができる。さらに、本実施形態においては、このシート状のプレススルーパック錠片１を平面視略三角筒状の包装立方体によって包装して、この包装状態でプレススルーパック錠片１から固形薬剤Ｍ１を取り出すようにしたことを特徴とするものである。そして、平面視略三角筒状の包装立方体は、１枚の所定の形状に打ち抜き裁断された紙製のシート材ＰＡによって形成されるものであって、紙製のシート材ＰＡは、例えば、厚紙やボール紙等の台紙が使用され、これを裁断機によって打ち抜き形成されるものであるから、量産に適しており、安価に製作することができる。そして、シート材ＰＡを横折り曲げ線３を中心に略Ｖ字状に折り曲げることによって外部側側片部４と内部側側片部５とが二重に折り重なった二重側片部６が形成されるようにした。これがためにプレススルーパック包装体Ｐの側片部は二重構造となり、型崩れすることなく強固にその形態を維持することができる。そして、この二重側片部６の中央部位を中央部二重側片部７となし、この中央部二重側片部７の外部側側片部４と内部側側片部５との間にプレススルーパック錠片１が挟み込み保持されるようにした。このようにプレススルーパック錠片１を中央部二重側片部７に挟み込むだけで接着等の必要性がないからその装着が容易である。特に、プレススルーパック錠片１を中央部二重側片部７に挟み込むだけで保持されているから、中央部二重側片部７の二重の折り畳み状態から開放することによって、使用済みのプレススルーパック錠片１を新しいプレススルーパック錠片１に取り替えることができ、数次にわたってプレススルーパック包装体Ｐとして使用することができるため、使用者にとって有益である。そして、シート材ＰＡを上述のように二重に折り重ねてから、その後は、シート材ＰＡに裁断形成された形態に合わせて、中央部二重側片部７を挟んでその左右側縁部に横折り曲げ線３に直交する右側縦折り曲げ線８と左側縦折り曲げ線９とが形成され、中央部二重側片部７の右側縁部に右側縦折り曲げ線８を介して右側部二重側片部１０が連続形成され、中央部二重側片部７の左側縁部に左側縦折り曲げ線９を介して左側部二重側片部１１が連続形成され、中央部二重側片部７を挟んで右側部二重側片部１０及び左側部二重側片部１１を縦折り曲げ線８，９を中心に夫々略Ｖ字状に折り曲げることによって中央部二重側片部７とその両側部に連続形成される右側部二重側片部１０及び左側部二重側片部１１とによって平面視略三角筒状の立方体が形成され、三角筒状の立方体の右側部二重側片部１０及び左側部二重側片部１１を互いに係合することによって平面視略三角筒状の包装立方体としてプレススルーパック包装体Ｐが形成されるから、プレススルーパック包装体Ｐを形成するための工程が単に折り曲げ工程と係合工程とによって形成されるからその組み立て作業が容易である。又、何ら接着等の固着手段を採用するものでないから分解が容易であり、分解することによって上述のように使用済みのプレススルーパック錠片１を容易に取り替えることができ、実用的でもある。さらに、本実施形態にあっては、平面視略三角筒状の包装立方体に組み立てたプレススルーパック包装体Ｐとして使用するものであるが、その組み立て途上で、シート材ＰＡを横折り曲げ線３を中心に略Ｖ字状に折り曲げることによって外部側側片部４と内部側側片部５との二重に折り重なった二重側片部６に形成し、この二重側片部６の中央部位を中央部二重側片部７の外部側側片部４と内部側側片部５との間にプレススルーパック錠片１が挟み込み保持された状態で、すなわち、二重側片部６からなるシート状態で使用することもできる。すなわち、プレススルーパック錠片１単体でポケット部２を押し破りし、内部の固形薬剤Ｍ１を取り出そうとすれば、特に高齢者等の手作業が困難な使用者にあっても、中央部二重側片部７の外部側側片部４及び内部側側片部５が一種の梃子作用として働き、それに囲まれたポケット部２を貫通孔１６から軽い力で押し破ることができ、高齢者等の手作業が困難な使用者に手軽に使用することができる。
【００４５】
さらに、本実施形態によれば、プレススルーパック包装体Ｐが、外部側側片部４と内部側側片部５とを重なるように折り畳むことによって、プレススルーパック錠片１を挟持して平坦状とするとともに、折り畳まれた外部側側片部４及び内部側側片部５を折り曲げて三角筒状となるように構成されているから、プレススルーパック包装体Ｐの加工、組み立て等の製造工程が簡素かつ容易となり、従来のプレススルーパック錠片折曲体のように、種類の異なる固形薬剤Ｍ１が収容されるプレススルーパック錠片１毎に異なる金型を製造する必要がないから、製造費を低減することができるとともに、薬局においてプレススルーパック包装体Ｐを組み立てることができるから、薬局が平坦状と三角筒状との２つの提供形態を選択することができる。さらに、本実施形態によれば、プレススルーパック包装体Ｐが、三角筒状となるように構成されているから、特に手が震えるような高齢者の場合であっても、三角筒状のプレススルーパック包装体Ｐの一端側の三角筒状開口部２２を下向きにして破封し、落下する固形薬剤Ｍ１を直接口に投薬することができるから、固形薬剤Ｍ１の散逸を防止することができる。さらに、本実施形態によれば、三角筒状のプレススルーパック包装体Ｐと従来のプレススルーパック錠片１との差別化を図ることができるから、特に高価な固形薬剤Ｍ１をポケット部２に収容した場合であっても、プレススルーパック包装体Ｐの紛失を防止することができるとともに、狭心症やてんかんの発作時に使用される血管拡張剤や抗てんかん薬等の緊急薬剤である固形薬剤Ｍ１をポケット部２に収容した場合であっても、発作時においてプレススルーパック包装体Ｐをすぐに取り出して服用することができる。さらに、本実施形態によれば、外部側側片部４及び内部側側片部５を折り畳む前のシート形態のプレススルーパック包装体Ｐを薬局に提供することができるから、プレススルーパック包装体Ｐが嵩張ることがなくなり、もって、プレススルーパック包装体Ｐの運搬や保管が容易になる。さらに、本実施形態によれば、ポケット部２の周囲の外部側側片部４に服用日時や服用方法等の投薬情報を記載することができるから、ポケット部２における固形薬剤Ｍ１の収容状態及びポケット部２の周囲の外部側側片部４に記載された投薬情報を視覚的に容易に把握することができ、これにより、誤飲や飲み忘れを確実に防止することができる。
【００４６】
本実施形態にあっては、外部側側片部４と内部側側片部５とが二重に折り重なった二重側片部６の中央部位の中央部二重側片部７の外部側側片部４と内部側側片部５とに貫通孔１６が上下同列に形成され、この中央部二重側片部７の外部側側片部４と内部側側片部５との間にプレススルーパック錠片１が挟み込み保持されるようになっているが、これに限定されることはなく、例えば図１の（ａ）に示すように、図中左側部の左側部二重側片部１１の外部側側片部４と内部側側片部５とにも、仮想線で示すように貫通孔１６が上下同列に形成され、この左側部二重側片部１１の外部側側片部４と内部側側片部５との間にもプレススルーパック錠片１が挟み込み保持されるようにしてもよい。
【００４７】
＜変形例＞
なお、本実施形態では、二重側片部６を形成する外部側側片部４と内部側側片部５とのうち、外部側側片部４の右側縦折り曲げ線８と、外部側側片部４の左側縦折り曲げ線９との夫々の線上長手方向にスリット１４が形成されていたが、これに限らず、例えば、図１０に示すように、外部側側片部４の右側縦折り曲げ線８と、外部側側片部４の左側縦折り曲げ線９との夫々線上長手方向にからなる切り込み１５（半切り、ハーフカット）が全体にわたって形成されていてもよい。本変形例によれば、外部側側片部４と内部側側片部５とからなる二重側片部６を折り曲げる際に、特に外部側側片部４がその折り曲げ線部分に作用する折り曲げ抵抗負荷によって凹み等の皺や型崩れを発生することがなく、正確容易に二重側片部６の折り曲げ作業を行うことができる。
【００４８】
＜第２実施形態＞
次に、本発明に係るプレススルーパック包装体の第２実施形態について、図１１〜図１３を参照して具体的に説明する。なお、以下では、第１実施形態と同一の構成には、同一の参照符号を付して、詳細な説明を省略する。
【００４９】
まず、第１実施形態のプレススルーパック錠片１は、図１（ｂ）に示すように、複数のポケット部２を備えるとともに、第１実施形態のプレススルーパック包装体Ｐは、図１（ａ）に示すように、複数の貫通孔１６を備えていたが、本実施形態のプレススルーパック錠片１は、図１１（ｂ）に示すように、単一のポケット部２を備えるとともに、本実施形態のプレススルーパック包装体Ｐは、図１１（ａ）に示すように、単一の貫通孔１６を備えている。さらに、第１実施形態のプレススルーパック包装体Ｐは、図１（ａ）に示すように、係合用舌片１７及び係合孔１８が複数箇所に配置されていたが、本実施形態のプレススルーパック包装体Ｐは、図１１〜図１３に示すように、係合用舌片１７及び係合孔１８が１箇所に配置されている。さらに、第１実施形態のプレススルーパック包装体Ｐは、図１（ａ）に示すように、スリット１４が右側縦折り曲げ線８及び左側縦折り曲げ線９の夫々に複数箇所配置されていたが、本実施形態のプレススルーパック包装体Ｐは、図１１〜図１３に示すように、スリット１４が右側縦折り曲げ線８及び左側縦折り曲げ線９の夫々に１箇所配置されている。なお、本実施形態のプレススルーパック包装体Ｐのその他の構成、組立方法、使用方法については、第１実施形態のプレススルーパック包装体Ｐのその他の構成、組立方法、使用方法と同様である。
【００５０】
以上説明した本実施形態によれば、第１実施形態のプレススルーパック包装体Ｐと同様に、量産に適しており、安価に製作することができる。さらに、本実施形態によれば、特に高価な固形薬剤Ｍ１をポケット部２に収容した場合であっても、プレススルーパック包装体Ｐの紛失を防止することができるとともに、緊急薬剤である固形薬剤Ｍ１をポケット部２に収容した場合であっても、発作時においてプレススルーパック包装体Ｐをすぐに取り出して服用することができる。
【符号の説明】
【００５１】
１          プレススルーパック錠片
２          ポケット部
３          横折り曲げ線
４          外部側側片部
５          内部側側片部
６          二重側片部
７          中央部二重側片部
８          右側縦折り曲げ線
９          左側縦折り曲げ線
１０        右側部二重側片部
１１        左側部二重側片部
１４        スリット
１５        切り込み
１６        貫通孔
１７        係合用舌片
１７Ａ      重合片
１７Ａａ    重合片側縦折り曲げ線
１８        係合孔
１９        中央部吻合用舌片
１９ａ      中央部吻合用舌片側横折り曲げ線
２０        右側部吻合用舌片
２０ａ      右側部吻合用舌片側横折り曲げ線
２１        左側部吻合用舌片
２１ａ      左側部吻合用舌片側横折り曲げ線
２２        三角筒状開口部
２３        三角筒状内部空間
Ｍ１        固形薬剤
Ｐ          プレススルーパック包装体
ＰＡ        シート材
【図１】
2020001701.tif 000003
【図２】
2020001701.tif 000004
【図３】
2020001701.tif 000005
【図４】
2020001701.tif 000006
【図５】
2020001701.tif 000007
【図６】
2020001701.tif 000008
【図７】
2020001701.tif 000009
【図８】
2020001701.tif 000010
【図９】
2020001701.tif 000011
【図１０】
2020001701.tif 000012
【図１１】
2020001701.tif 000013
【図１２】
2020001701.tif 000014
【図１３】
2020001701.tif 000015
【図１４】
2020001701.tif 000016
【図１５】
2020001701.tif 000017